(57)【要約】【課題】使用時における部材の組み立て作業による形状の誤差が小さく、変形しにくく、横置きしても縦置きしても効率よくゴキブリを捕獲できるゴキブリ捕獲器を提供する。【解決手段】本体１１の内壁の対向する２面に粘着部が設けられ、開口部５０を構成する第１縁部３１ｂと第２縁部３２ｂにはフラップ３０が設けられ、フラップ３０は、第１縁部３１ｂに沿って内側に向かって折り曲げられた第１斜面部３１と、第２縁部３２ｂに沿って内側に向かって折り曲げられた第２斜面部３２と、第１縁部３２ｂから延出する領域と第２縁部３２ｂから延出する領域の境界において、第１縁部３１ｂと第２縁部３２ｂに連続して設けられ、内方へ山折されるとともに第１縁部３１ｂと第２縁部３２ｂの接点から第２斜面部３２の端部に向かう線上において外方へ山折されることにより第１斜面部３１に接して第１斜面部３１の傾斜角度を規定する斜面保持部３３とを形成する。【選択図】図３
2007209337.tif 000002
【特許請求の範囲】
【請求項１】
少なくとも１側に矩形の開口部が形成された箱状の本体からなり、
前記本体の内壁のうち少なくとも対向する２面に粘着部が設けられ、
前記開口部を構成する４つの縁部のうち隣接する少なくとも第１縁部と第２縁部には前記開口部から延出するフラップが設けられ、
前記フラップは、前記第１縁部に沿って内側に向かって折り曲げられてなる第１斜面部と、
前記第２縁部に沿って内側に向かって折り曲げられてなる第２斜面部と、
前記第１縁部から延出する領域と前記第２縁部から延出する領域との境界において、前記第１縁部と前記第２縁部に連続して設けられ、内方へ山折されるとともに前記第１縁部と前記第２縁部との接点から前記第２斜面部の端部に向かう線上において外方へ山折されることにより前記第１斜面部に接して前記第１斜面部の傾斜角度を規定する斜面保持部とを形成することを特徴とするゴキブリ捕獲器。
【請求項２】
前記第１斜面部と前記第２斜面部とが前記斜面保持部に形成する角度が１５〜４０゜であることを特徴とする請求項１に記載のゴキブリ捕獲器。
【請求項３】
前記粘着部の粘着力が２００ｇｆ〜５００ｇｆであることを特徴とする請求項１又は請求項２に記載のゴキブリ捕獲器。
【発明の詳細な説明】
【技術分野】
【０００１】
本発明は、ゴキブリ捕獲器に関し、特に、使用時における部材の組み立て作業による形状の誤差が小さく、変形しにくく、横置きしても縦置きしても効率よくゴキブリを捕獲できるゴキブリ捕獲器に関する。
【背景技術】
【０００２】
従来から粘着型のゴキブリ捕獲器が種々提案されている。例えば、ゴキブリが好む狭い隙間に設置可能とするために、ゴキブリ捕獲器の寸法を特定の大きさにしたものが提案されている（例えば、特許文献１参照）。また、捕獲性能を向上させるために、粘着面に凹凸を付与する技術が提案されている（例えば、特許文献２参照）。また、底面（床面）および天井面に粘着面が形成されたゴキブリ捕獲器が提案されている（例えば、特許文献３、特許文献４参照）。また、一般に、粘着型のゴキブリ捕獲器は、使用時に所定の部材を折り紙細工の要領で組み立てることにより、ゴキブリの捕獲される箱状の本体を形成してから使用されており、捕獲器の入口付近に設けた斜面部に斜面保持部を設けて形状の維持を試みているものもある（例えば、特許文献５参照）。
【特許文献１】特開２００１−１９０２０５号公報
【特許文献２】特開平１０−１６５０６９号公報
【特許文献３】実開昭５３−５６３７６号公報
【特許文献４】実開昭６４−０４３６７６号公報
【特許文献５】実開平６−６１０８２号公報
【発明の開示】
【発明が解決しようとする課題】
【０００３】
しかしながら、従来の粘着型ゴキブリ捕獲器では、使用時の組み立てによる形状の誤差が大きく、形状の誤差に起因する捕獲効率の誤差の大きいことが問題となっていた。また、従来の粘着型ゴキブリ捕獲器は、変形しやすく、組み立て時に折り曲げた部分の元に戻ろうとする力や外部との接触などによって形状が変形して、十分な捕獲効率が得られない場合があった。この問題を解決すべく、特許文献５に記載されるような斜面保持部が提案されているが、このような斜面保持部では、素材の弾性力が原因で斜面を形成する折り目が元の平坦な形状に戻ろうとした場合に、その力を抑え込む方向に設けられていないため、弾力性を十分に抑えることができずに変形してしまうなどして、十分な効果が得られない場合がある。
【０００４】
本発明は、上記の点に鑑みてなされたものであり、使用時における部材の組み立て作業による形状の誤差が小さく、変形しにくく、横置きしても縦置きしても効率よくゴキブリを捕獲できるゴキブリ捕獲器を提供することを目的とする。
【課題を解決するための手段】
【０００５】
上記課題を解決するために、本発明者は鋭意研究を重ね、ゴキブリの好む縦長の隙間にゴキブリ捕獲器を設置した場合、ゴキブリは床などの水平な面からのみでなく、壁などの鉛直な面からも捕獲器に侵入するという知見を得た。そして、本発明者は、水平な面からも鉛直な面からもゴキブリが侵入しやすく出にくい捕獲器とすることで、良好なゴキブリの捕獲効率が得られることを見出した。
【０００６】
すなわち、本発明のゴキブリ捕獲器は、少なくとも１側に矩形の開口部が形成された箱状の本体からなり、前記本体の内壁のうち少なくとも対向する２面に粘着部が設けられ、前記開口部を構成する４つの縁部のうち隣接する少なくとも第１縁部と第２縁部には前記開口部から延出するフラップが設けられ、前記フラップは、前記第１縁部に沿って内側に向かって折り曲げられてなる第１斜面部と、前記第２縁部に沿って内側に向かって折り曲げられてなる第２斜面部と、前記第１縁部から延出する領域と前記第２縁部から延出する領域との境界において、前記第１縁部と前記第２縁部に連続して設けられ、内方へ山折されるとともに前記第１縁部と前記第２縁部との接点から前記第２斜面部の端部に向かう線上において外方へ山折されることにより前記第１斜面部に接して前記第１斜面部の傾斜角度を規定する斜面保持部とを形成することを特徴とする。
【０００７】
本発明のゴキブリ捕獲器は、第１斜面部と第２斜面部とを形成するフラップを備えているので、ゴキブリ捕獲器を、第１縁部が設置面に接触するように設置した場合であっても、第２縁部が設置面に接触するように設置した場合であっても、本体内に侵入したゴキブリが開口部から脱出することを防止でき、ゴキブリが開口部から侵入しやすく出にくいものとなる。さらに、本発明のゴキブリ捕獲器は、本体の内壁を構成する対向する２面に少なくとも設けられた粘着部を有しているので、粘着部の形成された面が水平となるように設置しても鉛直となるように設置しても、開口部から本体内に侵入したゴキブリを効率よく粘着部に留まらせることができる。よって、本発明のゴキブリ捕獲器は、いわゆる横置きした場合であっても縦置きした場合であっても、効率よくゴキブリを捕獲できる。
【０００８】
また、本発明のゴキブリ捕獲器は、斜面保持部を形成するフラップを備えているので、第１斜面部および第２斜面部の傾斜角度が斜面保持部の形状に基づく所定の角度に規正される。したがって、使用時における部材の組み立て作業による形状の誤差が小さく、形状の誤差に起因する捕獲効率の誤差の小さい信頼性に優れたものとなる。
また、本発明のゴキブリ捕獲器では、第１斜面部に重なり合う斜面保持部が、組み立て時に折り曲げた部分の元に戻ろうとする力同士で押し合って、第１斜面部および第２斜面部の傾斜角度を所定の角度となるように保持するとともに、箱状の本体の頂点の位置であり外部との接触などによって変形しやすい第１縁部と第２縁部との接点付近を補強するので、変形しにくいものとなる。よって、本発明のゴキブリ捕獲器は、変形に起因する捕獲効率の誤差の小さい信頼性に優れたものとなる。
【０００９】
また、上記のゴキブリ捕獲器においては、前記第１斜面部と前記第２斜面部とが前記斜面保持部に形成する角度が１５〜４０゜であることが好ましい。
この角度が１５゜未満になると、ゴキブリの脱出を妨げる効果が弱まるため、捕獲能力を低下させることになる。一方、この角度が４０゜を超えると、ゴキブリが斜面を登る際の障壁が大きくなって侵入しにくくなり、捕獲能力を低下させることになる。
このように、前記第１斜面部と前記第２斜面部とが前記斜面保持部に形成する角度がゴキブリの捕獲能力に影響することから、様々な気候条件や外力に耐えて該角度を一定に保つことが高い捕獲能力を維持するために必要である。また、本発明のゴキブリ捕獲器では、前記斜面保持部によって、例えば紙で作製した場合に折り目が元の状態に戻ることがなく、上部からものが落下するなどの外力が加わった場合にも変形しにくく、良好な捕獲能力を得ることができる。
【００１０】
また、上記のゴキブリ捕獲器においては、前記粘着部の粘着力が２００ｇｆ〜５００ｇｆであることが好ましい。
このようなゴキブリ捕獲器とすることで、粘着部全域を効果的に活用することが可能であり、しかも、大型で脚力の強いゴキブリでも捕らえることが可能である捕獲効率に優れたものとなる。
【発明の効果】
【００１１】
本発明によれば、使用時における部材の組み立て作業による形状の誤差が小さく、変形しにくく、横置きしても縦置きしても効率よくゴキブリを捕獲できるゴキブリ捕獲器を提供できる。
【発明を実施するための最良の形態】
【００１２】
以下、本発明について更に詳しく説明する。
図１〜図３は、本発明のゴキブリ捕獲器の一例である本実施形態のゴキブリ捕獲器を示した図である。図１は、本実施形態のゴキブリ捕獲器を組み立てる前の状態を説明するための図であり、ゴキブリ捕獲器の内側となる側の面から見た展開図である。また、図２は、本実施形態のゴキブリ捕獲器の断面図であり、図２（ａ）は、ゴキブリ捕獲器の第３側面および第４側面を長さ方向に切断して示した断面図、図２（ｂ）は、ゴキブリ捕獲器の第１側面および第２側面を長さ方向に切断して示した断面図である。また、図３は、本実施形態のゴキブリ捕獲器の斜視図である。
【００１３】
図１〜図３に示すように、本実施形態のゴキブリ捕獲器は、図１に示す板状部材１０を折り紙細工の要領で図３に示すように組み立てることにより形成された略直方体の箱状の本体１１を有するものである。
本体１１を構成する板状部材１０は、アクリル樹脂などの合成樹脂や紙などを所定の形状に打ち抜いて形成されたものである。なお、板状部材１０の材質および色は、ゴキブリが忌避するものでなければよく、とくに限定されるものではない。例えば、板状部材１０は、白色、赤色、青色、茶色などに着色することができる。
また、図１に示すように、板状部材１０の組み立て時に折り曲げられる部分には、エンボス加工などの折り目加工が施されることによって線状の凸部Ａ２が形成されている。なお、本実施形態では、板状部材１０の組み立て時に折り曲げられる部分のうち、斜面保持部３３となる部分を取り囲む図１において符号Ａ１、Ｂで示す部分には、複数の切り込みが所定の間隔を空けて線上に形成されている。
【００１４】
本体１１の壁部２０は、図１および図３に示すように、第１側面２１、第２側面２２、第３側面２３、第４側面２４、閉止板２５からなる。
第１側面２１と、図３に示すように組み立てることにより第１側面２１に対向して配置される第２側面２２の２つの面の中央部には、図１に示すように、粘着部４１、４２が設けられ、粘着部４１、４２の周囲には、粘着部４１、４２の設けられていない板状部材１０からなる所定の寸法の非粘着部２１ａ、２２ａが設けられている。
第１側面２１および第２側面２２において、粘着部４１、４２の周囲に１０ｍｍ程度の非粘着部２１ａ、２２ａが設けられている、これにより、粘着部４１、４２を形成する際の作業性が良好になるとともに、粘着部４１、４２表面に後述する保護シートを設けた場合に、保護シートの剥離作業が容易となる。しかし、ゴキブリを効率よく捕獲するためには、粘着部４１、４２の面積を広くすることが望ましく、本体１１の内壁２０の面積のうち粘着部４１、４２の面積が５０％以上であることが好ましい。
【００１５】
粘着部４１、４２は、粘着剤を塗布することにより形成されたものである。粘着部４１、４２を形成するための粘着剤としては、特に限定されないが、例えば、ポリブテン、ポリクロロプレン、合成ゴム、天然ゴムなどを用いることができる。なお、粘着剤には、粘着性付与剤や酸化防止剤を適宜加えてもよい。
また、粘着部４１、４２は、ホットメルトコーターを用いる方法や、チューブに入れられた粘着剤を押し出す方法などにより、板状部材１０に粘着剤を直接塗工して形成してもよいし、別に用意した紙などの基材に粘着剤を塗工し、粘着剤の塗布された基材を板状部材１０上の所定の領域に設置することにより形成してもよい。また、粘着部４１、４２は、剥離性の良い基材上に粘着剤を塗布して粘着剤層を形成し、基材上に形成された粘着剤層を板状部材１０上の所定の領域に転着させて基材を除去する方法により形成してもよい。
【００１６】
なお、粘着部４１、４２は、あらかじめ形成されていてもよいし、使用時に形成してもよい。
粘着部４１、４２があらかじめ形成されている場合、使用するまでの間、粘着部４１、４２の表面を覆っておく剥離可能な保護シートを粘着部４１、４２の表面に設けることが望ましい。粘着部４１、４２の表面に保護シートを設けることで、流通時に梱包材が粘着部４１、４２に付着することを防ぐことができるとともに、使用者が梱包を開ける際などに使用者の手が粘着部４１、４２に付着することによる不快感や、使用者の手や埃が粘着部４１、４２に付着することによる粘着力の低下を防止することができる。
表面に保護シートの設けられた粘着部４１、４２は、例えば、粘着剤からなる粘着剤層の両面に剥離紙を貼付した粘着シートを形成し、一方の面の剥離紙を除去して板状部材１０上に設置して粘着剤層を板状部材１０上の所定の領域に転着させる方法により、容易に形成することができる。
【００１７】
粘着部４１、４２の粘着力は特に限定されるものではないが、２００ｇｆ〜５００ｇｆの範囲とされ、３００ｇｆ〜４５０ｇｆの範囲とされることが望ましい。すなわち、本体１１内に侵入したゴキブリは触角や前脚に接触した粘着部４１、４２の粘着力に異常を感知してこれを避けようとするものの、ゴキブリの歩行は後退不能であるため前進するしかない。したがって、粘着部４１、４２に接触した状態の大型ゴキブリは、激しく羽ばたきながら歩行を継続する。このとき、粘着部４１、４２の粘着力が２００ｇｆ未満であると、大型で脚力の強いゴキブリが粘着部４１、４２に粘着されることなく逃亡してしまう場合がある。また、粘着部４１、４２の粘着力が５００ｇｆを越えると、本体１１内に侵入したゴキブリが開口部５０近傍で行動不能に陥ってしまうため、開口部５０の近傍において行動不能になっているゴキブリに邪魔されて、本体１１内部への別のゴキブリの侵入が困難となって粘着部４１、４２全域を効果的に活用することができなくなり、捕獲効率が低下する場合がある。
【００１８】
なお、粘着部４１、４２の粘着力は、粘着剤の種類や塗工厚によって調節することができ、捕獲したいゴキブリの種類などによって適宜決定される
図４は、３５０ｇ／ｍ２、厚み０．５ｍｍの紙からなる基材上に、HIMOL 6H（商品名：日本石油化学株式会社製）／B100（商品名：BASFジャパン製）／KE100（商品名：荒川化学製）／アルコンM90（商品名：荒川化学製）＝70/15/10/5（質量比）からなる組成物である粘着剤を塗布した場合の塗工厚と粘着力との関係を示したグラフである。例えば、図４に示す塗工厚と粘着力との関係を用いて、適切な粘着力を有する粘着部４１、４２を形成することができる。
【００１９】
また、ここでの粘着力とは、デジタルフォースゲージ（日本電産株式会社製  ＦＧＣ−２Ｂ）の先端に直径３ｍｍの球状ルビーを端子として取り付けて電動式タテ型計測スタンド（日本電産株式会社製  ＦＧＳ−５０Ｖ−Ｈ）に固定し、２０℃の雰囲気下で端子を粘着面に３０ｇｆで５秒間押付けた後に３００ｍｍ／分の速度で引き剥がしたときの最大応力の測定値のことをいう。粘着力の測定は、１つの粘着面の範囲内で均一に分散した８箇所を選んで行い、その平均値を測定値とした。具体的には、長方形の粘着面では、長辺方向に５等分、短辺方向に３等分した線の交点８箇所を測定した平均値を測定値とした。
【００２０】
また、本実施形態のゴキブリ捕獲器においては、図１および図３に示すように、第４側面２４の中央部に１つのＣ字状の切り込みからなる挿入口２４ａが形成されている。また、図１および図３に示すように、閉止板２５の中央部には、挿入口２４ａの切り込みの形状に対応する間隔を空けて２つの切り込み２５ｃ、２５ｃが形成されている。２つの切り込み２５ｃ、２５ｃに挟まれた領域は、組み立て時に挿入口２４ａに挿入される中板２５ａであり、２つの切り込み２５ｃ、２５ｃの中板２５ａと反対側の領域は、本体１１の外壁を形成する外板２５ｂである。
【００２１】
また、図３に示すように、本体１１の左右両端部側には、略長方形の開口部５０が形成されている。したがって、開口部５０を構成する第１縁部３１ｂ、第２縁部３２ｂ、第３縁部３５ａ、第４縁部３５ｂの４つの縁部のうち、第１縁部３１ｂおよび第３縁部３５ａは、第２縁部３２ｂおよび第４縁部３５ｂよりも長くなっている。そして、本実施形態のゴキブリ捕獲器では、開口部５０を構成する４つの縁部のうち、第１縁部３１ｂと第２縁部３２ｂと第４縁部３５ｂとには、開口部５０から延出するフラップ３０が設けられている。また、第１縁部３１ｂは第１側面２１に形成され、第２縁部３２ｂは第４側面２４に形成され、第３縁部３５ａは第２側面２２に形成され、第４縁部３５ｂは第３側面２３に形成されている。
【００２２】
フラップ３０は、第１縁部３１ｂに沿って内側に向かって折り曲げられてなる第１斜面部３１と、第１斜面部３１の両側に個別に設けられて第１縁部３１ｂに隣接する第２縁部３２ｂおよび第４縁部３５ｂに沿って内側に向かって折り曲げられてなる第２斜面部３２とを有している。
さらに、図１〜図３に示すように、フラップ３０は、第１縁部３１ｂから延出する領域と第２縁部３２ｂおよび第４縁部３５ｂから延出する領域との境界Ｂにおいて内方へ山折されるとともに、第１縁部３１ｂと第２縁部３２ｂとの接点Ｏおよび第１縁部３１ｂと第４縁部３５ｂとの接点Ｏから第２斜面部３２の端部３２ｃに向かう線Ａ１上において外方へ山折（図１においては谷折）されることにより第１斜面部３１に重なり合う斜面保持部３３を形成している。
【００２３】
また、第１斜面部３１の表面には、第１縁部３１ｂの延在方向と略平行な２本の線状の凸部３１ａ、３１ａが形成されている。凸部３１ａ、３１ａは、エンボス加工によって形成されたものであり、ゴキブリの脚が第１斜面部３１の表面で滑ることを防ぎ、本体１１内にゴキブリを侵入しやすくするものである。
また、第２斜面部３２の第２側面２２と対向する部分には、第２斜面部３２の奥行きｄ方向に対して傾斜する面取り部３２ａが形成されている。面取り部３２ａが形成されていることにより、組み立て時に第２斜面部３２が第２側面２２とぶつかり合って、組み立ての作業性を低下させたり、組み立てによる形状の誤差を大きくしたりすることを防ぐことができる。
【００２４】
図１に示す境界Ｂと線Ａ１とのなす角度θ１は、１５〜４０°とされ、２０〜３５°とされることが望ましい。図２（ａ）に示す第２斜面部３２と第３側面２３および第４側面２４とのなす角度θ２、図２（ｂ）に示す第１斜面部３１と第１側面２１とのなす角度θ３は、組み立てられることにより、いずれも図１に示す境界Ｂと線Ａ１とのなす角度θ１とほぼ同じ角度となる。
また、第１斜面部３１の端部３１ｃと第１側面２１との間の距離や、第２斜面部３２の端部３２ｃと第３側面２３および第４側面２４との間の距離は、図１に示す境界Ｂと線Ａ１とのなす角度θ１によって所定の距離とされ、具体的には３ｍｍ〜８ｍｍ程度とされることが望ましい。
【００２５】
図１に示す境界Ｂと線Ａ１とのなす角度θ１が１５°未満であると、第１斜面部３１の端部３１ｃと第１側面２１との間の距離や、第２斜面部３２の端部３２ｃと第３側面２３および第４側面２４との間の距離が不十分となり、本体１１内に侵入したゴキブリが脱出しようとしたときに、第２斜面部３２と第３側面２３および第４側面２４との間や、第１斜面部３１と第１側面２１との間に、ゴキブリを入り込ませて脱出を妨げる効果が十分に得られない場合があるため好ましくない。また、図１に示す境界Ｂと線Ａ１とのなす角度θ１が４０°を越えると、ゴキブリの侵入するスペースが狭くならないように、開口部５０を大きくして本体１１の大きさを不必要に大きくしなければならなくなり、ゴキブリの好む狭い隙間に設置しにくいものとなるため好ましくない。
【００２６】
第１縁部３１ｂおよび第３縁部３５ａの長さａは４０ｍｍ〜９０ｍｍとされ、５０ｍｍ〜８０ｍｍとされることがより好ましい。長さａが４０ｍｍ未満であると、ゴキブリが侵入するためのスペースが十分に確保できないため好ましくない。また、長さａが９０ｍｍを越えると、ゴキブリの好む狭い隙間に設置しにくくなるため好ましくない。
また、２つの粘着部４１、４２間の間隔を決定する、第２縁部３２ｂおよび第４縁部３５ｂの長さｂは１５ｍｍ〜３０ｍｍとされ、２０ｍｍ〜２５ｍｍとされることがより好ましい。長さｂが１５ｍｍ未満であると、ゴキブリが侵入しやすい開口部５０を形成できなくなる場合がある。また、長さｂが３０ｍｍを越えると、例えば、２つの粘着部４１、４２のいずれか一方に脚がくっついたゴキブリが羽ばたいたときに、ゴキブリの翅が脚のくっついていない方の粘着部に接触しにくくなり、ゴキブリの腹面と背面の両側から２つの粘着部４１、４２を作用させることによって効果的にゴキブリを捕らえることができなくなる場合があるため好ましくない。
【００２７】
また、第１縁部３１ｂから第１斜面部３１の端部３１ｃまでの距離である第１斜面部３１の奥行きｃは、特に限定されるものではないが、ゴキブリの成虫の体長の１／３程度の長さに相当する１０ｍｍ〜２０ｍｍ程度とされることが好ましい。第１斜面部３１の奥行きｃが１０ｍｍ未満であると、粘着部４１、４２に接触したゴキブリが方向転換して脱出してしまう場合があり、第１斜面部３１を設けたことによる捕獲効率を高める効果が十分に得られない場合がある。また、第１斜面部３１の奥行きｃが２０ｍｍを越えても、第１斜面部３１を設けたことによる捕獲効率を高める効果は向上しないし、本体１１の奥行き寸法ｅを不必要に長くしなければならなくなり、ゴキブリの好む狭い隙間に設置しにくいものとなるため好ましくない。
【００２８】
また、第２縁部３２ｂまたは第４縁部３５ｂから第２斜面部３２の端部３２ｃまでの距離である第２斜面部３２の奥行きｄは、特に限定されるものではないが、第１斜面部３１および第２斜面部３２の傾斜角度を保持できるとともに、本体１１の変形を防止できる十分な広さの斜面保持部３３を形成しうるように５ｍｍ〜２０ｍｍ程度とされることが好ましい。第２斜面部３２の奥行きｄが５ｍｍ未満であると、斜面保持部３３による第１斜面部３１および第２斜面部３２の傾斜角度を保持する効果や本体１１を補強する効果が十分に得られない場合があるため好ましくない。また、第２斜面部３２の奥行きｄが２０ｍｍを越えると、ゴキブリを侵入させるための十分なスペースが確保できなくなる場合があるため好ましくない。
【００２９】
また、本体１１の奥行き寸法ｅは、２５０ｍｍ以下とされ、１００ｍｍ〜１５０ｍｍ程度とされることが好ましく、１１０ｍｍ〜１３０ｍｍとされることさらに好ましい。本体１１の奥行き寸法ｅが１００ｍｍ未満であると、進入したゴキブリが粘着部４１、４２に充分に粘着する前に逃亡する場合がある。また、本体１１の奥行き寸法ｅが２５０ｍｍを越えるとゴキブリの好む狭い隙間に設置しにくいものとなるため好ましくない。
【００３０】
また、本実施形態のゴキブリ捕獲器においては、図３に示すように、第１縁部３１ｂと第２縁部３２ｂのうち長い方の縁部である第１縁部３１ｂに直交する方向における開口部５０の内径ｈ、言い換えると、第２縁部３２ｂの延在方向における第１斜面部３１の端部３１ｃから第１縁部３１ｂと対向する第３縁部３５ａまでの距離ｈは８ｍｍ〜２５ｍｍの範囲であることが好ましい。
第１縁部３１ｂに直交する方向における開口部５０の内径ｈが、８ｍｍ未満であると狭すぎてゴキブリが本体１１に侵入しにくくなるため好ましくない。また、第１縁部３１ｂに直交する方向における開口部５０の内径ｈが２５ｍｍを越えると、ゴキブリの好む狭い隙間に設置しやすい本体１１を形成できなくなる恐れが生じるため好ましくない。
【００３１】
また、本実施形態のゴキブリ捕獲器は、例えば、以下に示すように組み立てることができる。
まず、図１に示す板状部材１０のフラップ３０を第１縁部３１ｂ、第２縁部３２ｂ、第４縁部３５ｂに形成された線状の凸部Ａ２に沿って内側に向かって折り曲げることにより、第１斜面部３１および第２斜面部３２を形成する。
次いで、板状部材１０の第１側面２１、第２側面２２、第３側面２３、第４側面２４、閉止板２５をそれぞれ区切るように、線状の凸部Ａ２に沿って内側に向かって折り曲げて壁部２０を形成する。
【００３２】
次に、フラップ３０の第１縁部３１ｂから延出する領域と第２縁部３２ｂおよび第４縁部３５ｂから延出する領域との境界Ｂにおいて内方へ山折するとともに、第１縁部３１ｂと第２縁部３２ｂとの接点Ｏおよび第１縁部３１ｂと第４縁部３５ｂとの接点Ｏから第２斜面部３２の端部３２ｃに向かう線Ａ１上において外方へ山折（図１においては谷折）することにより第１斜面部３１に重なり合う斜面保持部３３を形成する。
このとき、斜面保持部３３を囲むように折り曲げられる図１において符号Ａ１、Ｂで示す部分には、複数の切り込みが所定の間隔を空けて線上に形成されているので、斜面保持部３３は容易になおかつ高精度で形成できる。
その後、第４側面２４の挿入口２４ａに、閉止板２５の中板２５aを挿入して箱状の本体１１とすることによって、図３に示すゴキブリ捕獲器の組み立てが完了する。
【００３３】
本実施形態のゴキブリ捕獲器は、第１斜面部３１および第２斜面部３２を形成するフラップ３０を備えているので、例えば、第１縁部３１ｂが設置面に接触するように設置（横置き）した場合であっても、図３に示すように第２縁部３２ｂが設置面に接触するように設置（縦置き）した場合であっても、本体１１内に侵入したゴキブリが開口部５０から脱出することを防止でき、ゴキブリが開口部５０から出にくいものとなる。
したがって、本実施形態のゴキブリ捕獲器は、ゴキブリの好む２０ｍｍ〜５０ｍｍの縦長の隙間、例えば、冷蔵庫の放熱スペースや食器棚と壁との間の隙間など幅の狭い縦長の隙間に設置した場合でも、本体１１からゴキブリが出にくく、効率よくゴキブリを捕獲できる。
【００３４】
さらに、本実施形態のゴキブリ捕獲器は、本体１１の内壁を構成する対向する２面に設けられた粘着部４１、４２を有しているので、横置きした場合であっても縦置きした場合であっても、開口部５０から本体１１内に侵入したゴキブリを効率よく粘着部４１、４２に留まらせることができる。さらに、２つの粘着部４１、４２間の間隔である、第２縁部３２ｂおよび第４縁部３５ｂの長さｂを１５ｍｍ〜３０ｍｍとすることで、ゴキブリが侵入しやすく、ゴキブリの腹面と背面の両側から２つの粘着部４１、４２を作用させることによって効果的にゴキブリを捕らえることができる。
さらに、粘着部４１、４２の粘着力を２００ｇｆ〜５００ｇｆの範囲とすることで、粘着部４１、４２の全域を効果的に活用することが可能となり、しかも、大型で脚力の強いゴキブリでも捕らえることが可能な捕獲効率に優れたものとすることができる。
【００３５】
また、本実施形態のゴキブリ捕獲器は、第１斜面部３１に重なり合う斜面保持部３３が、組み立て時に折り曲げた部分の元に戻ろうとする力同士で押し合って、第１斜面部３１および第２斜面部３２の傾斜角度を所定の角度となるように保持するとともに、外部との接触などによって変形しやすい第１縁部３１ｂと第２縁部３２ｂとの接点Ｏ付近を補強するので、使用時における部材の組み立て作業による形状の誤差が小さく、変形しにくいものとなる。
【００３６】
しかも、本実施形態のゴキブリ捕獲器は、上述した少ない組み立て工程で、簡単に組み立てることができる。
【００３７】
なお、本発明のゴキブリ捕獲器は、上述した実施形態のゴキブリ捕獲器に限定されるものではなく、例えば、捕獲率を上昇させるために、粘着部上にゴキブリが好むエサなどの誘引剤を設置してもよいし、捕獲したゴキブリを死に至らしめる目的で、粘着部および／または誘引剤に殺虫成分を配合してもよい。
また、ゴキブリ捕獲器を縦置きした場合にゴキブリ捕獲器が転倒することのないように、ゴキブリ捕獲器を床や壁、家具などに固定する両面テープや支持棒などの補助具が本体に取り付けられていてもよい。ここで本体に取り付けられる補助具は、ゴキブリ捕獲器の設置を妨げない小型のものを用いることが望ましい。
【００３８】
また、上述した実施形態のゴキブリ捕獲器においては、図１において符号Ａ１、Ｂで示す部分には、所定の間隔を空けて複数の切り込みが形成されていたが、複数の切り込みに代えて、エンボス加工によって形成された線状の凸部が設けられていてもよい。さらに、図１において符号Ａ１、Ｂで示す部分には、折り曲げる位置を示す線などの表示がされていてもよい。この場合、図１において符号Ａ１、Ｂで示す部分には、切り込みが形成されていなくてもよい。
【００３９】
また、上述した実施形態のゴキブリ捕獲器においては、粘着部を対向する第１側面および第２側面にのみ設けたが、さらに第３側面２３や第４側面２４にも設けてもよい。第３側面２３や第４側面２４にも粘着部を設けた場合、より一層効果的にゴキブリを捕らえることができる。
【００４０】
また、上述した実施形態のゴキブリ捕獲器においては、開口部５０を構成する４つの縁部のうち、第１縁部３１ｂと第２縁部３２ｂと第４縁部３５ｂとにフラップ３０が設けられているものを例に挙げて説明したが、フラップは４つの縁部のうち隣接する少なくとも第１縁部と第２縁部に設けられていればよく、例えば、第１縁部と第２縁部のみに設けられていてもよいし、全ての縁部に設けられていてもよい。フラップが設けられている縁部が多いほど斜面保持部の数が増えるので、変形しにくいゴキブリ捕獲器となり好ましい。
また、フラップが第１縁部と第２縁部のみに設けられている場合、開口部の内径寸法を十分に確保しつつ、外形寸法の小さいコンパクトなゴキブリ捕獲器とすることができ好ましい。
【００４１】
また、上述した実施形態のゴキブリ捕獲器においては、本体１１の対向する２面全面に開口部５０が形成されているものを例に挙げて説明したが、開口部は、少なくとも１側に形成されていればよい。
【実施例】
【００４２】
以下、本発明の実施例及び比較例を挙げて、本発明をより具体的に説明する。なお、本発明は、これらの実施例に限定されるものではない。
【００４３】
「実施例１〜５」
３５０ｇ／平方メートル、厚さ０．５ｍｍの厚紙を用いて、以下に示す粘着部を備えた以下に示す形状のゴキブリ捕獲器を形成し、得られたゴキブリ捕獲器の斜面保持性を評価した後に本体に形成された開口部を床および壁に接して設置して、以下に示す評価方法を用いてゴキブリの捕獲率を評価した。
【００４４】
＜ゴキブリ捕獲器の形状＞
「本体寸法」
図１に示すゴキブリ捕獲器において以下のように設定した。
（ａ）本体の高さ（壁に接する開口部の縁部の長さ）：７５ｍｍ
（ｂ）本体の幅（開口部の下縁部の長さ、対向する粘着部間の間隔）：２０ｍｍ
（ｅ）本体の奥行き：１２５ｍｍ
斜面部の設けられた縁部：壁に接する縁部、壁に接する縁部と対向する縁部、下縁部、上縁部
（ｃ）全ての斜面部の奥行き：１５ｍｍ
（θ１）斜面保持部の角度：所定の値に設定した。
【００４５】
＜粘着部＞
HIMOL 6H（商品名：日本石油化学株式会社製）／B100（商品名：BASFジャパン製）／KE100（商品名：荒川化学製）／アルコンM90（商品名：荒川化学製）＝70/15/10/5（質量比）からなる粘着剤１質量部を３質量部のトルエンに溶解した粘着液５．７ｇを、ポリエチレンテレフタレート製フィルム（ＤＰ−１５０：商品名、津川精機社製）で作成した幅６０ｍｍ、奥行き９５ｍｍ、深さ２０ｍｍの容器に流し込み、１２０℃で３時間加熱した後、質量変化がなくなるまで常温下真空ポンプで減圧乾燥してトルエンを除去し、２５０ｇ／ｍ２の粘着剤層を有するシート状成型物を得た。得られたシート状成型物を、ゴキブリ捕獲器となる厚紙の設置時に壁と平行に設置される２つの内壁の中央部分にそれぞれ圧着し、容器を除去して６０ｍｍ×９５ｍｍの粘着部を２箇所形成した。得られた粘着部の粘着力は３００ｇｆであった。
【００４６】
「実施例６〜９」
実施例１と同様の紙を用いて、以下に示す本体寸法および粘着面を有する捕獲器を作製し、ゴキブリ捕獲率を評価した。
【００４７】
＜ゴキブリ捕獲器の形状＞
「本体寸法」
図１に示すゴキブリ捕獲器において以下のように設定した。
（ａ）本体の高さ（壁に接する開口部の縁部の長さ）：７５ｍｍ
（ｅ）本体の奥行き：１２５ｍｍ
（ｈ）開口部の内径：所定の値に設定した。
斜面部の設けられた縁部：壁に接する縁部、壁に接する縁部と対向する縁部、下縁部、上縁部
（ｃ）全ての斜面部の奥行き：１５ｍｍ
（θ１）斜面保持部の角度：２０°
【００４８】
＜粘着部＞
実施例１と同様の方法で調製し、粘着力が３００ｇｆの粘着面を得た。
【００４９】
「実施例１０〜１３」
実施例１と同様の紙を用いて、以下に示す本体寸法および粘着面を有する捕獲器を作製し、斜面保持性およびゴキブリ捕獲率を評価した。
【００５０】
＜ゴキブリ捕獲器の形状＞
「本体寸法」
実施例３と同様の本体寸法とした。
＜粘着部＞
粘着剤の塗工厚を変えたこと以外は実施例３と同様にして粘着面を調製した。
【００５１】
＜評価方法＞
所定の形状に作成したゴキブリ捕獲器を５名のパネラーが各人１個ずつ組み立て、２５℃、相対湿度７０％の環境下で１週間放置した後に、斜面保持性およびゴキブリ捕獲率を評価した。
【００５２】
「斜面保持性」
１週間放置前と比較して斜面の折り返し部分が戻った程度を、組み立てたパネラーが目視で評価した。
４点：斜面部の角度が保持されて、変化していない。
３点：斜面部の角度がほぼ保持されているが、折り目がわずかに戻っている。
２点：斜面部の角度が保持されず、折り目が９０°程度まで戻っている。
１点：斜面部の形状が保持されず、折り目が戻って平坦になっている。
【００５３】
◎：５名のパネラーの平均点が３．５以上
○：５名のパネラーの平均点が２．５以上
△：５名のパネラーの平均点が１．５以上
×：５名のパネラーの平均点が１．５未満
【００５４】
「ゴキブリ捕獲率」
図５は、ゴキブリ捕獲器の評価方法を説明するための図である。まず、図５に示すように、長辺４３ｃｍ、短辺３１．５ｃｍ、高さ３５ｃｍの直方体のコンテナ６０を用意し、コンテナ６０内の一方の短辺側の２隅に水とエサを備えたシェルターをそれぞれ設置した。次いで、コンテナ６０内にワモンゴキブリの成虫５匹と中齢幼虫５匹とを入れ、３時間馴化した。続いて、コンテナ６０内の他方の短辺の中央付近の床および壁に接してゴキブリ捕獲器１個を短辺が床面に、長辺が壁面に接するように設置し、照明のない状態で２４時間放置してゴキブリ捕獲器に捕獲されたゴキブリを計数した。５名のパネラーが作成した捕獲器を用いて、斜面保持性の試験を行った後に上述の試験を行い、得られた結果から以下に示す計算式を用いて捕獲率を求めた。
ゴキブリ捕獲率（％）＝（５個の捕獲器に捕獲されたゴキブリの数／５回の試験に供したゴキブリの数）×１００
【００５５】
「比較例１」
粘着面を壁面に接する面にのみ設けたこと以外は実施例２と同様のゴキブリ捕獲器を作製し、実施例１と同様にしてゴキブリの捕獲率を評価した。
「比較例２」
斜面保持部３３を切り取ったこと以外は実施例１と同様のゴキブリ捕獲器を作製し、実施例１と同様にしてゴキブリの捕獲率を評価した。
【００５６】
以下、実施例１〜５及び比較例１，２の斜面保持性及び捕獲率の評価結果を表１に示す。
【００５７】
【表１】
2007209337.tif 000003
【００５８】
表１に示すように、本発明のゴキブリ捕獲器である実施例１〜５は、８０％以上の高い捕獲率であった。
これに対して、粘着面を１面しか設けなかった比較例１及び斜面保持部を設けなかった比較例２では、実施例１〜５よりも捕獲率が低かった。
【００５９】
また、実施例６〜９の捕獲率の評価結果を表２に示す。
【００６０】
【表２】
2007209337.tif 000004
【００６１】
表２に示すように、実施例６〜９の斜面保持性の評価結果は何れも◎であった。実施例３の結果と合わせると、良好なゴキブリ捕獲率を得るための好適なｈの値の範囲は８〜２５ｍｍであることがわかる。
【００６２】
また、実施例１０〜１３の捕獲率の評価結果を表３に示す。
【００６３】
【表３】
2007209337.tif 000005
【００６４】
実施例１０〜１３の斜面保持性の評価結果は何れも◎であった。実施例３の結果と合わせると、良好なゴキブリ捕獲率を得るための好適な粘着力の範囲は３００〜４５０ｇｆであることがわかる。
【図面の簡単な説明】
【００６５】
【図１】図１は、本実施形態のゴキブリ捕獲器を組み立てる前の状態を説明するための図であり、ゴキブリ捕獲器の内側となる側の面から見た展開図である。
【図２】図２は、本実施形態のゴキブリ捕獲器の断面図であり、図２（a）は、ゴキブリ捕獲器の第３側面および第４側面を長さ方向に切断して示した断面図、図２（ｂ）は、ゴキブリ捕獲器の第１側面および第２側面を長さ方向に切断して示した断面図である。
【図３】図３は、本実施形態のゴキブリ捕獲器の斜視図である。
【図４】図４は、塗工厚と粘着力との関係を示したグラフである。
【図５】図５は、ゴキブリ捕獲器の評価方法を説明するための図である。
【符号の説明】
【００６６】
１０…板状部材、１１…本体、２０…壁部、２１…第１側面、２１ａ、２２ａ…非粘着部、２２…第２側面、２３…第３側面、２４…第４側面、２４ａ…挿入口、２５…閉止板、３０…フラップ、３１…第１斜面部、３１ａ…凸部、３１ｂ…第１縁部、３２…第２斜面部、３２ａ…面取り部、３２ｂ…第２縁部、３５ａ…第３縁部、３５ｂ…第４縁部、２５a…中板、２５ｂ…外板、２５ｃ…切り込み、３３…斜面保持部、４１、４２…粘着部、５０…開口部、Ａ２…凸部、Ｂ…境界、Ｏ…接点
【図１】
2007209337.tif 000006
【図２】
2007209337.tif 000007
【図３】
2007209337.tif 000008
【図４】
2007209337.tif 000009
【図５】
2007209337.tif 000010